(57)【要約】医療プッシュコネクタ及びシステムが提供される。医療プッシュコネクタは、解放部材に動作可能に連結された係合部材を含み得る。係合部材は、医療デバイスを医療プッシュコネクタに解放可能に連結し得る。医療プッシュコネクタシステムは、１つ以上の医療デバイスと、１つ以上の医療デバイスに連結されているか、又は連結可能な医療プッシュコネクタと、を含み得る。
2019526335.tif 000002
【特許請求の範囲】
【請求項１】
医療コネクタであって、
第１の端及び第２の端を有する本体と、
前記第１の端と前記第２の端との間で前記本体を通って延在する本体内腔と、
前記本体の前記第１の端に連結された第１の解放部材であって、前記本体内腔と連通している第１の解放部材内腔を備える、第１の解放部材と、
前記第１の解放部材に動作可能に連結された第１の係合部材であって、第１の医療デバイスを受容するために半径方向外側方向に偏向可能であり、前記第１の医療デバイスを前記医療コネクタに解放可能に連結するように構成されている、第１の係合部材と、を備える、医療コネクタ。
【請求項２】
前記第１の解放部材内腔に隣接して前記本体内腔内に配設された第１のシールを更に備え、前記第１のシールは、前記第１の医療デバイスが前記本体内腔内に配設されているときに、前記第１の医療デバイスに封止係合するように構成されている、請求項１に記載の医療コネクタ。
【請求項３】
前記本体の前記第２の端に連結された第２の解放部材であって、前記本体内腔と連通している第２の解放部材内腔を備える、第２の解放部材と、
前記第２の解放部材に動作可能に連結された第２の係合部材であって、第２の医療デバイスを受容するために半径方向外側方向に偏向可能であり、前記第２の医療デバイスを前記医療コネクタに解放可能に連結するように構成されている、第２の係合部材と、を更に備える、請求項１又は２に記載の医療コネクタ。
【請求項４】
前記第２の解放部材内腔に隣接して前記本体内腔内に配設された第２のシールを更に備え、前記第２のシールは、前記第２の医療デバイスが前記本体内腔内に配設されているときに、前記第２の医療デバイスに封止係合するように構成されている、請求項３に記載の医療コネクタ。
【請求項５】
前記第１の解放部材内腔が、第１の内径を有し、前記第２の解放部材内腔が、第２の内径を有し、前記第１の内径が、前記第２の内径よりも大きい、請求項３に記載の医療コネクタ。
【請求項６】
前記医療コネクタが、第１の細長い医療デバイス及び第２の細長い医療デバイスを封止可能に連結するように構成されており、前記第１の細長い医療デバイスの外径が、前記第２の細長い医療デバイスの外径よりも大きい、請求項５に記載の医療コネクタ。
【請求項７】
前記第１の解放部材に隣接した位置で前記本体の前記第１の端に連結された第２の解放部材であって、前記本体内腔と連通している第２の解放部材内腔を備える、第２の解放部材と、
前記第２の解放部材に動作可能に連結された第２の係合部材であって、第２の医療デバイスを前記医療コネクタに解放可能に連結するように構成されている、第２の係合部材と、を更に備える、請求項１に記載の医療コネクタ。
【請求項８】
前記本体内腔は、前記本体内腔の２つの開口が前記本体の前記第１の端に配設されるように、かつ前記本体内腔の１つの開口が前記本体の前記第２の端に配設されるように、実質的にＹ字形状である、請求項７に記載の医療コネクタ。
【請求項９】
前記第１の係合部材が、弾性要素を備え、前記弾性要素は、前記第１の医療デバイスが前記本体内腔内に配設されているときに、前記第１の医療デバイスに係合するように構成されており、
前記第１の解放部材は、前記弾性要素の一部分が、連結解除状態で、前記第１の解放部材内腔の長手方向軸に対して半径方向外側に偏向するように、前記弾性要素に係合するように構成されており、前記第１の解放部材は、前記弾性要素の一部分が、連結状態で、前記第１の解放部材内腔の長手方向軸に対して半径方向内側に偏向するように、前記弾性要素から係合解除されるように更に構成されている、請求項１〜８のいずれか一項に記載の医療コネクタ。
【請求項１０】
前記医療コネクタが、前記連結状態で、前記第１の医療デバイスを連結するように構成されており、前記医療コネクタが、前記連結解除状態で、前記第１の医療デバイスを連結解除するように構成されている、請求項９に記載の医療コネクタ。
【請求項１１】
前記本体に動作可能に連結されており、かつ前記第１の医療デバイスが前記コネクタに連結されたときを示すために、前記第１の構成と前記第２の構成との間で変位可能である、指示部材を更に備える、請求項１〜１０のいずれか一項に記載の医療コネクタ。
【請求項１２】
医療コネクタシステムであって、
医療コネクタであって、
第１の端及び第２の端を有する本体と、
前記第１の端と前記第２の端との間で前記本体を通って延在する本体内腔と、
前記本体の前記第１の端に連結された第１の解放部材であって、前記本体内腔と連通している第１の解放部材内腔を備える、第１の解放部材と、
第１の係合部材であって、前記第１の解放部材が作動されているときに、前記第１の解放部材が前記第１の係合部材を半径方向に偏向させるように、前記第１の解放部材に動作可能に連結されている、第１の係合部材と、を備える、医療コネクタと、
細長い医療デバイスであって、
第１の端及び第２の端を有する細長い部材と、
前記細長い部材の一部分内に配設され、前記第１の端から延在する細長い部材内腔と、を備える、細長い医療デバイスと、を備え、
前記第１の係合部材が、前記医療コネクタを前記細長い医療デバイスの前記第１の端に解放可能に連結するように構成されている、医療コネクタシステム。
【請求項１３】
前記細長い医療デバイスが、前記第１の端に隣接する前記細長い医療デバイスの外面上に配設された高摩擦ゾーンを更に備え、前記高摩擦ゾーンは、前記細長い医療デバイスが前記第１の解放部材内腔内に配設されているときに、前記第１の係合部材に係合するように構成されている、請求項１２に記載の医療コネクタシステム。
【請求項１４】
前記第１の係合部材が、弾性要素を備え、前記第１の解放部材は、前記弾性要素の一部分が、連結解除状態で、前記第１の解放部材内腔の長手方向軸に対して半径方向外側に偏向するように、前記弾性要素に係合するように構成されており、前記第１の解放部材は、前記弾性要素の一部分が、連結状態で、前記第１の解放部材内腔の長手方向軸に対して半径方向内側に偏向するように、前記弾性要素から係合解除されるように更に構成されており、前記弾性要素は、前記細長い医療デバイスが前記本体内腔内に配設されているときに、前記高摩擦ゾーンに係合するように構成されている、請求項１３に記載の医療コネクタシステム。
【請求項１５】
前記細長い医療デバイスが、前記第１の端に隣接する前記細長い医療デバイスの外面上に配設されたリッジを更に備え、前記リッジは、前記細長い医療デバイスが前記第１の解放部材内腔内に配設されているときに、前記第１の係合部材に係合するように構成されている、請求項１２に記載の医療コネクタシステム。
【請求項１６】
前記第１の係合部材が、弾性要素を備え、前記第１の解放部材は、前記弾性要素の一部分が、連結解除状態で、前記第１の解放部材内腔の長手方向軸に対して半径方向外側に偏向するように、前記弾性要素に係合するように構成されており、前記第１の解放部材は、前記弾性要素の一部分が、連結状態で、前記第１の解放部材内腔の長手方向軸に対して半径方向内側に偏向するように、前記弾性要素から係合解除されるように更に構成されており、前記弾性要素は、前記細長い医療デバイスが前記本体内腔内に配設されているときに、前記リッジに係合するように構成されている、請求項１５に記載の医療コネクタシステム。
【請求項１７】
前記細長い医療デバイスが、前記第１の端に隣接する前記細長い医療デバイスの外面上に配設された陥凹を更に備え、前記陥凹は、前記細長い医療デバイスが前記第１の解放部材内腔内に配設されているときに、前記第１の係合部材に係合するように構成されている、請求項１２に記載の医療コネクタシステム。
【請求項１８】
前記第１の係合部材が、弾性要素を備え、前記第１の解放部材は、前記弾性要素の一部分が、連結解除状態で、前記第１の解放部材内腔の長手方向軸に対して半径方向外側に偏向するように、前記弾性要素に係合するように構成されており、前記第１の解放部材は、前記弾性要素の一部分が、連結状態で、前記第１の解放部材内腔の長手方向軸に対して半径方向内側に偏向するように、前記弾性要素から係合解除されるように更に構成されており、前記弾性要素は、前記細長い医療デバイスが前記本体内腔内に配設されているときに、前記陥凹に係合するように構成されている、請求項１７に記載の医療コネクタシステム。
【請求項１９】
前記本体内腔内に配設された第１のシールを更に備え、前記第１のシールは、前記細長い医療デバイスが前記本体内腔内に配設されているときに、前記細長い医療デバイスの前記第１の端に封止可能に係合するように構成されている、請求項１２〜１８のいずれか一項に記載の医療コネクタシステム。
【請求項２０】
高圧流体置換医療デバイスであって、
前記高圧流体置換医療デバイスの遠位端に連結された医療コネクタを備え、前記医療コネクタが、
近位端及び遠位端を有する本体であって、前記近位端が、前記高圧流体置換医療デバイスの前記遠位端に連結されている、本体と、
前記近位端と前記遠位端との間で前記本体を通って延在する本体内腔であって、前記高圧流体置換医療デバイスの容器と流体連通している、本体内腔と、
前記本体の前記遠位端に連結された第１の解放部材であって、前記本体内腔と連通している第１の解放部材内腔を備える、第１の解放部材と、
前記第１の解放部材に動作可能に連結された第１の係合部材と、を備え、
前記医療コネクタの前記遠位端が、細長い医療デバイスを受容するように構成されており、それにより、前記細長い医療デバイスが、前記高圧流体置換医療デバイスに連結可能である、高圧流体置換医療デバイス。
【請求項２１】
前記医療コネクタが、
前記本体内腔内に配設された第１のシールを更に備え、前記第１のシールは、前記細長い医療デバイスが前記本体内腔内に配設されているときに、前記細長い医療デバイスに封止可能に係合するように構成されている、請求項２０に記載の高圧流体置換医療デバイス。
【請求項２２】
前記第１の係合部材が、弾性要素を備え、前記弾性要素は、前記細長い医療デバイスが前記本体内腔内に配設されているときに、前記細長い医療デバイスの外面に係合するように構成されており、
前記第１の解放部材は、前記弾性要素の一部分が、第１の状態で、前記第１の解放部材内腔の長手方向軸に対して半径方向外側に偏向するように、前記弾性要素に係合するように構成されており、前記第１の解放部材は、前記弾性要素の一部分が、第２の状態で、前記第１の解放部材内腔の長手方向軸に対して半径方向内側に偏向するように、前記弾性要素から係合解除されるように更に構成されている、請求項２０又は２１に記載の高圧流体置換医療デバイス。
【請求項２３】
前記高圧流体置換医療デバイスが、シリンジである、請求項２０〜２２のいずれか一項に記載の高圧流体置換医療デバイス。
【発明の詳細な説明】
【関連出願】
【０００１】
本出願は、２０１６年８月２２日に出願された米国仮出願第６２／３７７，９４４号、名称「Ｍｅｄｉｃａｌ  Ｐｕｓｈ  Ｃｏｎｎｅｃｔｏｒｓ」に対する優先権を主張するものであり、その全体が参照により本明細書に援用される。
【技術分野】
【０００２】
本開示は、概して、医療プッシュコネクタに関する。より具体的には、本開示は、第１の医療デバイスを第２の医療デバイスに連結するように構成された医療プッシュコネクタに関する。本開示はまた、１つ以上の医療デバイスと、１つ以上の医療デバイスに連結されているか、又は連結可能な医療プッシュコネクタと、を含む、医療プッシュコネクタシステムに関する。関連する方法も開示される。
【図面の簡単な説明】
【０００３】
本明細書に開示される実施形態は、添付の図面と併用して、以下の記載及び添付の特許請求の範囲からより完全に明白となるであろう。実施形態の様々な態様が図面で提示されるが、図面は典型的な実施形態のみを図示しており、以下の添付の図面を通して追加の特殊性及び詳細とともに説明される。
【０００４】
【図１】医療プッシュコネクタを含む高圧流体置換医療デバイスの側面図である。
【図２】図１の医療デバイスの断面図である。
【図３Ａ】第１の構成における、線３Ａ−３Ａによって示される、図２の医療デバイスの一部分の詳細図である。
【図３Ｂ】第２の構成における、図３Ａの医療デバイスの一部分の詳細図である。
【図３Ｃ】第３の構成における、図３Ａの医療デバイスの一部分の詳細図である。
【図４】医療プッシュコネクタの一部分の斜視図である。
【図５】図４の医療プッシュコネクタの一部分の分解図である。
【図６Ａ】細長い医療デバイスに連結された図４及び図５の医療プッシュコネクタシステムの一部分の詳細図である。
【図６Ｂ】細長い医療デバイスの別の実施形態に連結された図６Ａの医療プッシュコネクタシステムの一部分の詳細図である。
【図６Ｃ】細長い医療デバイスの更に別の実施形態に連結された図６Ａの医療プッシュコネクタシステムの一部分の詳細図である。
【図７】医療プッシュコネクタの別の実施形態の斜視図である。
【図８Ａ】第１の構成における、医療プッシュコネクタの一部分の部分破断図である。
【図８Ｂ】第２の構成における、図８Ａの医療プッシュコネクタの一部分の部分破断図である。
【図８Ｃ】第３の構成における、図８Ａの医療プッシュコネクタの一部分の部分破断図である。
【発明を実施するための形態】
【０００５】
本明細書に開示される様々な実施形態は、概して、医療プッシュコネクタ及び医療プッシュコネクタシステムに関する。いくつかの実施形態において、医療プッシュコネクタは、解放部材に動作可能に連結された係合部材を含む。係合部材は、医療デバイスを医療プッシュコネクタに解放可能に連結するように構成され得る。一定の実施形態において、医療プッシュコネクタシステムは、１つ以上の医療デバイス（例えば、高圧流体置換医療デバイス）と、１つ以上の医療デバイスに連結されているか、又は連結されるように構成された医療プッシュコネクタと、を含み得る。
【０００６】
様々な特徴は、本開示を効率化する目的で、その１つの実施形態、図面、又は説明にまとめられる場合があることが認識される。多くのこれらの特徴は、単独及び／又は互いに組み合わされて使用されてもよい。
【０００７】
実施形態は、図面を参照して理解され得、同様の部分は、全体を通して同様の数字が割り当てられる。本開示の構成要素は、本明細書の図面において概して説明及び図示されるように、広範囲の異なる構成において配置及び設計することが可能であることが容易に理解される。よって、以下の、装置の実施形態のより詳細な記載は、本開示の範囲を限定する意図はなく、本開示の可能な実施形態の単なる代表的なものである。いくつかの場合では、周知の構造、材料、又は動作は、図示されないか、又は詳細に説明されていない。実施形態の様々な態様が図面で提示される一方で、図面は、具体的に示されない限りは縮尺に合わせて描かれているとは限らない。
【０００８】
「接続される」、「連結される」、及び「連通される」の句は、２つ以上の実体間での機械、電気、磁気、電磁気、液体、及び熱的相互作用を含むがそれらに限定されない相互作用の任意の形態を指す。２つの構成要素は、それらが互いに直接接触していないとしても、互いに結合されている場合がある。例えば、２つの構成要素は、中間構成要素を介して互いに結合され得る。
【０００９】
「近位」及び「遠位」という用語は、本明細書に開示されるデバイスを含む医療デバイスの両端を指す。本明細書において使用される際、医療デバイスの近位部分は、使用中に施術者に最も近い部分であり、遠位部分は、その反対側の端の部分である。例えば、医療プッシュコネクタの近位端は、医療プッシュコネクタの利用中、施術者に最も近い端として定義される。遠位端は、医療プッシュコネクタの長手方向に沿って、近位端の反対側の端である。
【００１０】
「弾性」という用語は、特定の形状を有し、次いで、異なる形状に弾性変形され得るが、非拘束時に拘束されていないときに元の形状に戻り得る、構成要素、デバイス、又は物体を指す。例えば、係合部材の弾性要素又はアームは、非拘束時（すなわち、解放部材と係合していないとき）に第１の形状を有し得、使用時に、弾性要素が、次いで、弾性要素を第２の形状に弾性変形させる（すなわち、解放部材の一部分との相互作用に起因して半径方向外側に変位される）ように制約され（すなわち、解放部材と一時的に係合される）、次いで、弾性要素がその第１の形状に戻るか、又はその第１の形状に実質的に戻るように、非拘束化され得る（すなわち、解放部材との係合から取り外される）。
【００１１】
図１は、高圧流体置換医療デバイス１５０の側面図である。図示されるように、高圧流体置換医療デバイス１５０は、シリンジである。いくつかの実施形態において、高圧流体置換医療デバイス１５０は、心臓ポンプ、約５ａｔｍ（大気）を超える圧力での使用のために構成された任意の医療デバイス、約１０ａｔｍを超える圧力での使用のために構成された任意の医療デバイス、又は別の好適な医療デバイスであり得る。シリンジ１５０は、シリンジ本体１５５及びプランジャ１６０を含み得る。いくつかの実施形態において、プランジャ１６０は、シリンジ本体１５５のバレル１６５の少なくとも一部分の中に配設されるように、及び／又は変位可能であるように構成され得る。
【００１２】
本明細書では医療コネクタとも称され得る医療プッシュコネクタ１００は、シリンジ１５０の遠位端１５３に連結又は配設され得る。図示されるように、医療コネクタ１００は、近位端又は第１の端１１２、及び遠位端又は第２の端１１４を有する、本体１１０を含み得る。医療コネクタ１００はまた、第１の解放部材１２０ａ及び第２の解放部材１２０ｂも含み得る。いくつかの他の実施形態において、医療コネクタ１００は、１つのみの解放部材を含んでもよい。例えば、本体１１０は、Ｙ字形状でなくてもよく（例えば、本体は、Ｉ字形状でもよい）、かつ単一の解放部材のみを含んでもよい。更にいくつかの他の実施形態において、医療コネクタ１００は、３つ、４つ、又は別の好適な数の解放部材を含んでもよい。
【００１３】
図２は、図１のシリンジ１５０の断面図である。示されるように、プランジャ１６０は、シール部材１７０を含み得る。一定の実施形態において、シール部材１７０は、プランジャ１６０と一体成形され得る。一定の他の実施形態において、シール部材１７０は、シリンジ１５０の別個の構成要素であってもよく、シール部材１７０は、プランジャ１６０に（例えば、プランジャ１６０の遠位端に）連結されてもよい。容器１７５は、シリンジ本体１５５の少なくとも一部分の中に配設され得る。例えば、容器１７５は、シール部材１７０の各々と医療コネクタ１００との間でシリンジ本体１５５内に配設され得る。
【００１４】
図３Ａは、第１の構成における、線３Ａ−３Ａによって示される、図２のシリンジ１５０の医療コネクタ１００の詳細図である。図３Ｂは、第２の構成における、医療コネクタ１００の詳細図であり、図３Ｃは、第３の構成における、医療コネクタ１００を図示する。上述のように、医療コネクタ１００は、近位端１１２及び遠位端１１４を有する、本体１１０を含み得る。本体内腔１１６は、本体１１０の少なくとも一部分を通って延在し得る。例えば、本体内腔１１６は、近位端１１２と遠位端１１４との間に流体連通が存在するように、本体１１０の近位端１１２と遠位端１１４との間に延在し得る。
【００１５】
第１の解放部材１２０ａは、本体１１０の遠位端１１４で、又はそれに隣接して本体１１０に連結され得る。示されるように、第１の解放部材１２０ａは、第１の解放部材内腔１２２ａを含み得、第１の解放部材内腔１２２ａは、本体内腔１１６と連通（例えば、流体連通）している。第１の解放部材内腔１２２ａは、第１の解放部材１２０ａの少なくとも一部分を通って延在し得る。例えば、第１の解放部材内腔１２２ａは、第１の解放部材１２０ａの遠位端及び近位端の各々の間に延在し得る。
【００１６】
医療コネクタ１００は、第１の係合部材１３０ａを更に含み得る。いくつかの実施形態において、第１の係合部材１３０ａは、第１の解放部材１２０ａに動作可能に連結され得る。一定の実施形態において、第１の係合部材１３０ａは、医療デバイスを医療コネクタ１００に解放可能に連結するように構成され得る。例えば、施術者は、第１の細長い医療デバイス１５ａの少なくとも一部分を、第１の解放部材内腔１２２ａの少なくとも一部分内に配設し得、第１の係合部材１３０ａの少なくとも一部分は、第１の細長い医療デバイス１５ａが医療コネクタ１００に連結されるように、第１の細長い医療デバイス１５ａの少なくとも一部分に係合するように構成され得る。
【００１７】
様々な実施形態において、第１の係合部材１３０ａは、１つ以上の弾性要素又はアーム１３２ａを含み得る。例えば、第１の係合部材１３０ａは、１つ、２つ、３つ、４つ以上の弾性要素１３２ａを含み得る。１つ以上の弾性要素１３２ａは、医療デバイスが本体内腔１１６の少なくとも一部分内に配設されたときに（例えば、第１の解放部材内腔１２２ａを介して）、医療デバイスに係合するように構成され得る。例えば、１つ以上の弾性要素１３２ａは、第１の細長い医療デバイス１５ａの外面と係合／相互作用するように構成され得る。いくつかの実施形態において、弾性要素１３２ａは、細長い医療デバイス１５ａの外径と摩擦係合する、及び／又は外径に咬合若しくは切り込むように構成された角度付きタブを備え得る。弾性要素１３２ａは、この係合を容易にするために、細長い医療デバイス１５ａの長手方向軸に対してある角度で配設され得る。
【００１８】
更に、弾性要素１３２ａは、細長い医療デバイス１５ａが細長い医療デバイス１５ａに係合し、かつ細長い医療デバイス１５ａが医療コネクタ１００から引き抜かれることを防止するように、医療コネクタ１００内に挿入される際、半径方向外側に偏向するように構成され得る。
【００１９】
一定の実施形態において、医療コネクタ１００は、第１の細長い医療デバイス１５ａを連結状態に連結するように構成され得る。更に、医療コネクタ１００は、第１の細長い医療デバイス１５ａを連結解除状態に連結解除するように構成され得る。連結状態（図３Ｂ参照）において、第１の解放部材１２０ａは、１つ以上弾性要素１３２ａの各々の少なくとも一部分が、第１の解放部材内腔１２２ａの長手方向軸に対して半径方向内側に偏向するように、１つ以上の弾性要素１３２ａから係合解除され得るか、又はそれから係合解除されるように構成され得る。換言すると、第１の解放部材１２０ａは、連結状態で、１つ以上の弾性要素１３２ａと相互作用しないように配設され得る。
【００２０】
連結解除状態（図３Ｃ参照）において、第１の解放部材１２０ａは、１つ以上の弾性要素１３２ａの各々の少なくとも一部分が第１の解放部材内腔１２２ａの長手方向軸に対して半径方向外側に偏向するように、１つ以上の弾性要素１３２ａと係合又は相互作用するように構成され得る。換言すると、施術者は、第１の解放部材１２０ａの少なくとも一部分が１つ以上の弾性要素１３２ａと係合して、１つ以上の弾性要素１３２ａを第１の細長い医療デバイス１５ａから係合解除させるように、第１の解放部材１２０ａを「押す」又は作動させ得る。したがって、施術者による第１の解放部材１２０ａの「押すこと」又は作動の際、第１の細長い医療デバイス１５ａは、医療コネクタ１００から連結解除され得る。つまり、第１の解放部材１２０ａの「押すこと」又は作動は、医療プッシュコネクタ１００を連結状態から連結解除状態に遷移させ得る。
【００２１】
医療コネクタ１００は、第１のシール１１８ａ（例えば、Ｏリングシール）を更に含み得る。第１のシール１１８ａは、本体内腔１１６の少なくとも一部分内に配設され得る。図示されるように、第１のシール１１８ａは、第１の解放部材内腔１２２ａの近位端又はそれに隣接する位置で、本体内腔１１６内に配設される。更に、第１のシール１１８ａは、第１の肩部１１７ａ上に、又はそれに隣接して配設され得る。様々な実施形態において、第１のシール１１８ａは、第１の医療デバイスの少なくとも一部分が本体内腔１１６内に配設されたときに、医療デバイス（例えば、第１の細長い医療デバイス１５ａ）に封止係合するように構成され得る。例えば、図３Ｂに示されるように、第１のシール１１８ａは、細長い医療デバイス１５ａの外径に対して封止し得る。
【００２２】
図３Ｂを参照すると、施術者は、第１の細長い医療デバイス１５ａの少なくとも一部分を（矢印で示されるように）、第１の解放部材１２０ａの第１の解放部材内腔１２２ａを通して、本体内腔１１６の少なくとも一部分内に配設し得る。第１の細長い医療デバイス１５ａのかかる配設の際、第１のシール１１８ａは、第１の細長い医療デバイス１５ａの少なくとも一部分（例えば、第１の細長い医療デバイス１５ａの外径）と係合及び／又は相互作用し、かつ第１のシール１１８ａ、医療コネクタ１００、及び／又は第１の細長い医療デバイス１５ａの間にシールを形成し得る。
【００２３】
様々な他の実施形態において、医療コネクタ１００は、第１のシール１１８ａを欠いてもよい。したがって、第１の肩部１１７ａは、第１の細長い医療デバイス１５ａの少なくとも一部分が本体内腔１１６内に配設されたときに、第１の細長い医療デバイス１５ａに封止係合するように構成され得る。
【００２４】
図３Ａ〜図３Ｃに図示されるように、第２の解放部材１２０ｂはまた、本体１１０の遠位端１１４で、又はそれに隣接して本体１１０に連結され得る。図示されるように、第２の解放部材１２０ｂは、第１の解放部材１２０ａが本体１１０に連結されている位置に隣接して、又はその位置から変位されて、本体１１０の遠位端１１４で、又はそれに隣接して本体１１０に連結され得る。第１の解放部材１２０ａと類似して、第２の解放部材１２０ｂは、本体内腔１１６と連通する第２の解放部材内腔１２２ｂを含み得る。第２の解放部材内腔１２２ｂは、第２の解放部材１２０ｂの少なくとも一部分を通って延在し得る。
【００２５】
医療コネクタ１００は、第２の係合部材１３０ｂを更に含み得る。いくつかの実施形態において、第２の係合部材１３０ｂは、第２の解放部材１２０ｂに動作可能に連結され得る。一定の実施形態において、第２の係合部材１３０ｂは、医療デバイス（例えば、第２の細長い医療デバイス１５ｂ）を医療コネクタ１００に解放可能に連結するように構成され得る。
【００２６】
医療コネクタ１００は、第２のシール１１８ｂ（例えば、Ｏリングシール）を更に含み得る。第２の封止部１１８ｂは、本体内腔１１６の少なくとも一部分内に配設され得る。図示されるように、第２のシール１１８ｂは、第２の解放部材内腔１２２ｂの近位端に隣接する位置で本体内腔１１６内に配設される。更に、第１のシール１１８ａは、第２の肩部１１７ｂ上に、又はそれに隣接して配設され得る。図３Ｂを参照すると、施術者は、第２の細長い医療デバイス１５ｂの少なくとも一部分を（矢印で示されるように）、第２の解放部材１２０ｂの第２の解放部材内腔１２２ｂを通して、本体内腔１１６の少なくとも一部分内に配設し得る。第２の細長い医療デバイス１５ｂのかかる配設の際、第２のシール１１８ｂは、第２の細長い医療デバイス１５ａの少なくとも一部分と係合及び／又は相互作用し、かつ第２のシール１１８ｂ、医療コネクタ１００、及び／又は第２の細長い医療デバイス１５ｂの間にシールを形成し得る。
【００２７】
様々な他の実施形態において、医療コネクタ１００は、第２のシール１１８ｂを欠いてもよい。したがって、第２の肩部１１７ｂは、第２の細長い医療デバイス１５ｂの少なくとも一部分が本体内腔１１６内に配設されたときに、第２の細長い医療デバイス１５ｂに封止係合するように構成され得る。
【００２８】
医療コネクタ１００は、第１の肩部１１７ａの近位に配設された第１の近位肩部１１９ａ、及び第２の肩部１１７ｂの近位に配設された第２の近位肩部１１９ｂを更に含み得る。第１及び第２の近位肩部１１９ａ、１１９ｂは、細長い医療デバイス１５ａ、１５ｂの近位端と相互作用して、医療コネクタ１００に対する、細長い医療デバイス１５ａ、１５ｂの確実な近位停止を提供し得る。例えば、図３Ｂに示される構成において、細長い医療デバイス１５ａ、１５ｂの近位端は、第１及び第２の近位肩部１１９ａ、１１９ｂと接触して配設される。
【００２９】
図示されるように、医療コネクタ１００の本体内腔１１６は、実質的にＹ字形状である。換言すると、本体内腔１１６は、３つの開口を含み、２つの開口は、本体１１０の遠位端１１４に、又はそれに隣接して配設され、第３の開口は、本体１１０の近位端１１２に、又はそれに隣接して配設されている（例えば、第３の開口は、図示されるように、シリンジ１５０の本体内腔１１６と容器１７５との間に配設され得る（図２参照））。医療コネクタ１００の他の構成もまた、本開示の範囲内である。例えば、いくつかの実施形態において、医療コネクタは、１つの解放部材、シール、及び／又は係合部材のみを含み得る。いくつかの他の実施形態において、医療コネクタは、３つ以上の解放部材、シール、及び／又は係合部材を含み得る。医療コネクタの他の実施形態もまた、以下に更に詳細に説明される。
【００３０】
図４及び図５は、医療コネクタシステムとも呼ばれる、医療プッシュコネクタシステム２８０を例示し、図１〜図３Ｃに関連して説明された医療コネクタ１００の構成要素に、一定の点において類似し得る、医療コネクタ２００の一実施形態を含む。なお、全ての図示される実施形態は類似の特徴を有してもよいことが認識される。したがって、同様の特徴には、同様の参照番号が、先頭の桁を「２」に増分して割り当てられている。例えば、本体は、図１〜図３Ｃで「１１０」として示され、類似の本体は、図４及び図５で「２１０」として示される。それゆえ、同様に特定される特徴に関して上述された、関連性のある開示は、以降では繰り返されない場合がある。更に、図１〜図３Ｃに示される医療コネクタ１００及び関連する構成要素の特有の特徴は、図面の参照番号で示されないか識別されない、又は具体的にそれ以降に記載される説明において取り上げられない場合がある。しかしながら、そのような特徴は、他の実施形態で示される特徴、及び／若しくは、そのような実施形態に関して説明される特徴と、明白に同じもの、又は実質的に同じものとすることができる。したがって、かかる特徴の関連する説明は、図４及び図５の医療コネクタ２００の特徴に同等に適用される。図１〜図３Ｃに図示された医療コネクタ１００及び構成要素に対して説明される、特徴及びそれらの変形例の任意の好適な組み合わせは、図４及び図５の医療コネクタ２００及び構成要素とともに使用可能であり、逆も同様である。このパターンでの開示は、続く図面及び以後に説明される更なる実施形態に同等に適用される。
【００３１】
図４は、医療コネクタシステム２８０の一部分を図示する。図５は、図４の医療コネクタシステム２８０の一部分の分解図である。いくつかの実施形態において、医療コネクタシステム２８０は、医療コネクタ２００を含み得る。医療コネクタ２００は、本体２１０を含み得、本体２１０は、近位端又は第１の端２１２、及び遠位端又は第２の端２１４を有する。本体内腔２１６はまた、本体２１０の少なくとも一部分を通って延在し得る。例えば、本体内腔２１６は、本体２１０及び／又は医療コネクタ２００の近位端２１２と遠位端２１４との間に延在し得る。
【００３２】
一定の実施形態において、第１の解放部材２２０ａは、本体２１０の遠位端２１４に、又はそれに隣接して本体２１０に連結され得る。図示されるように、医療コネクタ２００は、２つの解放部材２２０ａ、２２０ｂを含み得る。いくつかの実施形態において、医療コネクタ２００は、１つのみの解放部材を含んでもよい。いくつかの他の実施形態において、医療コネクタ２００は、３つ、４つ、５つ以上の解放部材を含んでもよい。更にいくつかの他の実施形態において、以下に更に詳細に論じられるように、医療コネクタ２００は、解放部材を欠いてもよい。図４及び図５を参照すると、第１の解放部材２２０ａは、本体内腔２１６と連通（例えば、流体連通）している第１の解放部材内腔２２２ａを含み得る。同様に、第２の解放部材２２０ｂは、本体内腔２１６とも連通する第２の解放部材内腔２２２ｂを含み得る。
【００３３】
第１の解放部材２２０ａは、第１の係合部材２３０ａに動作可能に連結され得るか、又は動作可能に連結されるように構成され得る。同様に、第２の解放部材２２０ｂは、第２の係合部材２３０ｂに動作可能に連結され得るか、又は動作可能に連結されるように構成され得る。
【００３４】
医療コネクタシステム２８０はまた、１つ以上の細長い医療デバイス２９０ａ、２９０ｂを含み得る。図４及び図５は、細長い医療デバイス２９０ａ、２９０ｂの各々の一部分のみを図示する。第１の細長い医療デバイス２９０ａは、細長い部材２９２ａを含み得、細長い部材２９２ａは、近位又は第１の端２９３ａ、及び遠位又は第２の端（図示せず）を有する。同様に、第２の細長い医療デバイス２９０ｂは、細長い部材２９２ｂを含んでもよく、細長い部材２９２ｂは、近位端又は第１の端２９３ｂ、及び遠位又は第２の端（図示せず）を有する。更に、第１又は第２の細長い部材内腔２９５ａ、２９５ｂは、それぞれ、第１又は第２の細長い部材２９２ａ、２９２ｂの各々の一部分内に配設され得る。第１及び第２の細長い部材内腔２９５ａ、２９５ｂは、それぞれ、第１及び第２の細長い部材２９２ａ、２９２ｂの長さの少なくとも一部分に沿って、それぞれ、第１の端２９３ａ、２９３ｂから延在し得る。様々な実施形態において、第１の係合部材２３０ａは、第１の細長い医療デバイス２９０ａの第１の端２９３ａに医療コネクタ２００の少なくとも一部分を解放可能に連結し得るか、又は解放可能に連結するように構成され得る。同様に、第２の係合部材２３０ｂは、第２の細長い医療デバイス２９０ｂの第１の端２９３ｂに医療コネクタ２００の少なくとも一部を解放可能に連結し得るか、又は解放可能に連結するように構成され得る。
【００３５】
いくつかの実施形態において、細長い医療デバイスは、薄壁の細長い医療デバイスであり得る。薄壁を含む細長い医療デバイスは、薄壁の細長い医療デバイスの内腔を通る流体流が、より厚い壁及び実質的に同様の外径を有する別の細長い医療デバイスよりも、大きいことを可能にし得る。薄壁の細長い医療デバイスは、薄壁の細長い医療デバイスが薄壁の細長い医療デバイスの完全性を損傷させること又は損なうことなく、医療コネクタに連結され得るように、硬化及び／又は補強された端を更に有し得る。
【００３６】
第１の係合部材２３０ａは、１つ以上の弾性要素又はアーム２３２ａを含み得る。いくつかの実施形態において、第１の係合部材２３０ａは、１つ、２つ、３つ、４つ、５つ以上の弾性要素２３２ａを含み得る。更に、第１の解放部材２２０ａの少なくとも一部分は、１つ以上の弾性要素２３２ａの少なくとも一部分が、連結解除状態（例えば、細長い医療デバイスが、医療コネクタから連結解除又は係合解除されている状態）で第１の解放部材内腔２２２ａの長手方向軸線に対して半径方向外側に変位されるように、１つ以上の弾性要素２３２ａの少なくとも一部分に係合するように構成され得る。第１の解放部材２２０ａは、１つ以上の弾性要素２３２ａの少なくとも一部分が、連結状態（例えば、細長い医療デバイスが、医療コネクタに連結又は係合されている状態）で、第１の解放部材内腔２２２ａの長手方向軸線に対して半径方向内側に変位されるように、１つ以上の弾性要素２３２ａの少なくとも一部分から係合解除されるように更に構成され得る。第２の係合部材２３０ｂは、上述のように、第１の係合部材２３０ａに類似の様式で構成され得る。
【００３７】
図５を参照すると、第１のシール２１８ａは、本体内腔２１６の少なくとも一部分内に配設され得る。いくつかの実施形態において、第１のシール２１８ａは、第１の細長い医療デバイス２９０ａが本体内腔２１６の少なくとも一部分内に配設されたときに、第１の細長い医療デバイス２９０ａの第１の端２９３ａに封止可能に係合するように構成され得る。例えば、第１の細長い医療デバイス２９０ａの第１の端２９３ａの少なくとも一部分は、第１のシール２１８ａの少なくとも一部分を押圧して、又はそれに係合して、シールを形成し得る。更に、第２のシール２１８ｂは、本体内腔２１６の少なくとも別の部分内に配設されるように構成され得る。いくつかの実施形態において、第２のシール２１８ｂは、第２の細長い医療デバイス２９０ｂが本体内腔２１６の少なくとも一部分内に配設されたときに、第２の細長い医療デバイス２９０ｂの第１の端２９３ｂに封止可能に係合するように構成され得る。例えば、第２の細長い医療デバイス２９０ｂの第１の端２９３ｂの少なくとも一部分は、第２のシール２１８ｂの少なくとも一部分を押圧して、又はそれに係合して、シールを形成し得る。
【００３８】
様々な実施形態において、医療コネクタ２００は、第１のシール２１８ａ及び／又は第２のシール２１８ｂを欠いてもよい。したがって、第１の肩部及び／又は第２の肩部（図３Ａ〜図３Ｃを参照して上述された第１及び第２の肩部１１７ａ、１１７ｂに類似する）は、第１及び／又は第２の細長い医療デバイス２９０ａ、２９０ｂの少なくとも一部分が本体内腔２１６内に配設されたときに、第１及び／又は第２の細長い医療デバイス２９０ａ、２９０ｂに封止係合するように構成され得る。
【００３９】
図６Ａは、医療コネクタ３００の一部分（例えば、医療コネクタシステムの一部として）に連結された細長い医療デバイス３９０の断面詳細図である。図示されるように、細長い医療デバイス３９０は、高摩擦ゾーン３９６を含み得る。いくつかの実施形態において、高摩擦ゾーン３９６は、細長い医療デバイス３９０の外面の少なくとも一部分上に配設され得る。例えば、高摩擦ゾーン３９６は、細長い医療デバイス３９０の近位若しくは第１の端３９３に、又はそれに隣接して細長い医療デバイス３９０の外面の周囲に配設されている環状高摩擦ゾーン３９６とすることができる。高摩擦ゾーン３９６は、例えば、細長い医療デバイス３９０の少なくとも一部分が解放部材内腔３２２の少なくとも一部分内に配設されたときに、係合部材３３０の少なくとも一部分に係合し得るか、又は係合するように構成され得る。連結状態において、上述のように、係合部材３３０の１つ以上の弾性要素又はアーム３３２は、細長い医療デバイス３９０の少なくとも一部分が解放部材内腔３２２及び／又は本体内腔３１６内に配設されたときに、高摩擦ゾーン３９６に係合するように構成され得る。高摩擦ゾーン３９６は、高摩擦ゾーンを欠く細長い医療デバイスと比較して、医療コネクタ３００の細長い医療デバイス３９０への連結を強化するように構成され得る。例えば、高摩擦ゾーン３９６の１つ以上の半径方向に突出する表面は、係合部材３３０の１つ以上の弾性要素３３２と係合して、細長い医療デバイス３９０を医療コネクタ３００にしっかりと連結し得る。
【００４０】
上述したように、シール３１８はまた、本体内腔３１６の少なくとも一部分内に（例えば、肩部３１７上、又はそれに隣接して）配設され得、シール３１８は、細長い医療デバイス３９０の少なくとも一部分に係合するように構成されている（例えば、医療コネクタ３００と細長い医療デバイス３９０との間に連結状態でシールを形成するように）。図示されるように、シール３１８は、シール３１８と細長い医療デバイス３９０との間にシールが形成されるように、細長い医療デバイス３９０との係合時に圧縮され得る。
【００４１】
一定の実施形態において、医療コネクタ３００は、シール３１８を欠いてもよい。したがって、肩部３１７は、細長い医療デバイス３９０の少なくとも一部分が本体内腔３１６内に配設されたときに、細長い医療デバイス３９０に封止係合するように構成され得る。医療コネクタ３００は、医療コネクタ３００に対する、細長い医療デバイス３９０の確実な停止を提供し得る近位肩部３１９を更に備え得る。示されるように、細長い医療デバイス３９０は、細長い医療デバイス３９０を医療コネクタ３００に連結させ、かつそれと封止させるために、近位肩部３１９と接触する必要はない。
【００４２】
図６Ｂは、医療コネクタ４００の一部分（例えば、医療コネクタシステムの一部として）に連結された細長い医療デバイス４９０の別の実施形態の断面図である。図示されるように、細長い医療デバイス４９０は、細長い医療デバイス４９０の外面の少なくとも一部分に沿って、又はその上に配設された通路又は陥凹４９７を含み得る。例えば、陥凹４９７は、細長い医療デバイス４９０の近位若しくは第１の端４９３に、又はそれに隣接して細長い医療デバイス４９０の外面の周囲に配設されている環状陥凹とすることができる。陥凹４９７は、例えば、細長い医療デバイス４９０の少なくとも一部分が解放部材内腔４２２の少なくとも一部分内に配設されたときに、係合部材４３０の少なくとも一部分に係合し得るか、又は係合するように構成され得る。連結状態において、上述のように、係合部材４３０の１つ以上の弾性要素又はアーム４３２は、細長い医療デバイス４９０の少なくとも一部分が解放部材内腔４２２及び／又は本体内腔４１６内に配設されたときに、陥凹４９７に係合するように構成され得る。高摩擦ゾーン３９６に類似して、陥凹４９７は、陥凹を欠く細長い医療デバイスと比較して、医療コネクタ４００の細長い医療デバイス４９０への連結を強化するように構成され得る。例えば、陥凹４９７は、係合部材４３０の１つ以上の弾性要素４３２と係合して、細長い医療デバイス４９０を医療コネクタ４００にしっかりと連結し得る。
【００４３】
上述したように、シール４１８はまた、本体内腔４１６の少なくとも一部分内に（例えば、肩部４１７上、又はそれに隣接して）配設され得、シール４１８は、細長い医療デバイス４９０に係合するように構成されている（例えば、医療コネクタ４００と細長い医療デバイス４９０との間に連結状態でシールを形成するように）。
【００４４】
一定の実施形態において、医療コネクタ４００は、シール４１８を欠いてもよい。したがって、肩部４１７は、細長い医療デバイス４９０の少なくとも一部分が本体内腔４１６内に配設されたときに、細長い医療デバイス４９０に封止係合するように構成され得る。医療コネクタ４００は、医療コネクタ４００に対する、細長い医療デバイス４９０の確実な停止を提供し得る近位肩部４１９を更に備え得る。示されるように、細長い医療デバイス４９０は、細長い医療デバイス４９０を医療コネクタ４００に連結させ、かつそれと封止させるために、近位肩部４１９と接触する必要はない。
【００４５】
図６Ｃは、医療コネクタ５００の一部分（例えば、医療コネクタシステムの一部として）に連結された細長い医療デバイス５９０の更に別の実施形態の断面図である。図示されるように、細長い医療デバイス５９０は、細長い医療デバイス５９０の外面の少なくとも一部分上に配設されたリッジ５９８を含み得る。例えば、リッジ５９８は、細長い医療デバイス５９０の近位若しくは第１の端５９３に、又はそれに隣接して細長い医療デバイス５９０の外面の周囲に配設されている環状リッジとすることができる。リッジ５９８は、例えば、細長い医療デバイス５９０の少なくとも一部分が解放部材内腔５２２の少なくとも一部分内に配設されたとき、係合部材５３０の少なくとも一部分に係合し得るか、又は係合するように構成され得る。連結状態において、上述のように、係合部材５３０の１つ以上の弾性要素又はアーム５３２は、細長い医療デバイス５９０の少なくとも一部分が解放部材内腔５２２及び／又は本体内腔５１６内に配設されたときに、リッジ５９８に係合するように構成され得る。高摩擦ゾーン３９６及び／又は陥凹４９７に類似して、リッジ５９８は、リッジを欠く細長い医療デバイスと比較して、医療コネクタ５００の細長い医療デバイス５９０への連結を強化するように構成され得る。例えば、リッジ５９８は、係合部材５３０の１つ以上の弾性要素５３２と係合して、細長い医療デバイス５９０を医療コネクタ５００にしっかりと連結し得る。
【００４６】
上述したように、シール５１８はまた、本体内腔５１６の少なくとも一部分内に（例えば、肩部５１７上、又はそれに隣接して）配設され得、シール５１８は、細長い医療デバイス５９０に係合するように構成されている（例えば、医療コネクタ５００と細長い医療デバイス５９０との間に連結状態でシールを形成するように）。
【００４７】
一定の実施形態において、医療コネクタ５００は、シール５１８を欠いてもよい。したがって、肩部５１７は、細長い医療デバイス５９０の少なくとも一部分が本体内腔５１６内に配設されたときに、細長い医療デバイス５９０に封止係合するように構成され得る。医療コネクタ５００は、医療コネクタ５３００に対する、細長い医療デバイス５９０の確実な停止を提供し得る、近位肩部５１９を更に備え得る。示されるように、細長い医療デバイス５９０は、細長い医療デバイス５９０を医療コネクタ５００に連結させ、かつそれと封止させるために、近位肩部５１９と接触する必要はない。
【００４８】
図７は、医療コネクタ６００の斜視図である。図示されるように、医療コネクタ６００は、本体６１０に連結された第１の解放部材６２０ａを含み得、第１の解放部材６２０ａは、本体６１０の第１の端６１２で、又はそれに隣接して本体６１０に連結される。医療コネクタ６００は、本体６１０に連結された第２の解放部材６２０ｂを更に含み得、第２の解放部材６２０ｂは、本体６１０の第２の端６１４で、又はそれに隣接して本体６１０に連結される。第１の解放部材６２０ａは、医療コネクタ６００の本体内腔６１６と連通する第１の解放部材内腔６２２ａを含み得る。同様に、第２の解放部材６２０ｂは、本体内腔６１６と連通する第２の解放部材内腔６２２ｂを含み得る。換言すると、第１の解放部材内腔６２２ａ及び第２の解放部材内腔６２２ｂの各々は、本体内腔６１６を介して、互いに連通（例えば、流体連通）し得る。
【００４９】
上述の解放部材に類似して、第１及び第２の解放部材６２０ａ、６２０ｂの各々は、係合部材に動作可能に連結され得る。第１の解放部材６２０ａは、第１の細長い医療デバイス６９０ａを医療コネクタ６００に解放可能に連結するように構成され得る。更に、第２の解放部材６２０ｂは、第２の細長い医療デバイス６９０ｂを医療コネクタ６００に解放可能に連結するように構成され得る。
【００５０】
図示されるように、医療コネクタ６００は、第１の外径ＯＤ１を有する第１の細長い医療デバイス６９０ａを第２の外径ＯＤ２を有する第２の細長い医療デバイス６９０ｂに連結するように構成され得る。いくつかの実施形態において、第１の外径ＯＤ１は、第２の外径ＯＤ２未満であってもよく、又はその逆であってもよい。例えば、第１の細長い医療デバイス６９０ａは、６フレンチカテーテルであってもよく、第２の細長い医療デバイス６９０ｂは、１０フレンチカテーテルであってもよい。したがって、医療コネクタ６００は、６フレンチカテーテルを１０フレンチカテーテルに連結してもよく、又はその逆であってもよい。他の好適なサイズの細長い医療デバイスもまた、本開示の範囲内である。例えば、第１の細長い医療デバイスのサイズは、４フレンチ、６フレンチ、８フレンチ、１０フレンチ、又は任意の他の好適なサイズであってもよい。同様に、第２の細長い医療デバイスのサイズは、８フレンチ、１０フレンチ、１２フレンチ、１５フレンチ、又は任意の他の好適なサイズであってもよい。
【００５１】
換言すると、第１の解放部材６２０ａは、第１の内径ＩＤ１を有し得るが、第２の解放部材６２０ｂは、第２の内径ＩＤ２を有し得る。様々な実施形態において、第１の内径ＩＤ１は、第２の内径ＩＤ２未満であってもよく、又はその逆であってもよい。例えば、第１の解放部材６２０ａは、第１の細長い医療デバイス６９０ａを受容及び／又は解放可能に連結するように構成され得、第１の細長い医療デバイス６９０ａは、８フレンチカテーテルであり得、第２の解放部材６２０ｂは、第２の細長い医療デバイス６９０ｂを受容及び／又は解放可能に連結するように構成され得、第２の細長い医療デバイス６９０ｂは、１２フレンチカテーテルであり得る。
【００５２】
図８Ａは、第１の構成における、医療コネクタ７００の一部分の部分破断図である。図８Ｂは、第２の構成における、医療コネクタ７００であり、図８Ｃは、第３の構成における、医療コネクタ７００を図示する。上述のように、医療コネクタ７００は、近位端７１２及び遠位端７１４を有する本体７１０を含み得る。更に、本体内腔７１６は、本体７１０の少なくとも一部分を通って延在し得る。
【００５３】
連結部材７２０は、本体７１０の近位端７１４で、又はそれに隣接して本体７１０に連結され得る。示されるように、解放部材７２０は、解放部材内腔７２２を含み得、解放部材内腔７２２は、本体内腔７１６と連通している。医療コネクタ７００は、係合部材７３０を更に含み得る。いくつかの実施形態において、係合部材７３０は、解放部材７２０に動作可能に連結され得る。一定の実施形態において、係合部材７３０は、医療デバイスを医療コネクタ７００に解放可能に連結するように構成され得る。例えば、図８Ｂ及び図８Ｃを参照すると、施術者は、細長い医療デバイス１５の少なくとも一部分を解放部材内腔７２２の少なくとも一部分内に配設し得、係合部材７３０の少なくとも一部分は、細長い医療デバイス１５が医療コネクタ７００に連結されるように、細長い医療デバイス１５の少なくとも一部分に係合するように構成され得る。
【００５４】
上記のように、係合部材７３０は、１つ以上の弾性要素７３２を含み得る。１つ以上の弾性要素７３２は、医療デバイスが本体内腔７１６の少なくとも一部内に配設されたときに（例えば、解放部材内腔７２２を介して）、医療デバイスに係合するように構成され得る。例えば、１つ以上の弾性要素７３２は、細長い医療デバイス１５の外面と係合及び／又は相互作用するように構成され得る。
【００５５】
一定の実施形態において、医療コネクタ７００は、細長い医療デバイス１５を部分的な連結状態（図８Ｂ参照）で連結するように構成され得る。医療コネクタ７００はまた、細長い医療デバイス１５を完全な又は完成した連結状態（図８Ｃ参照）で連結するように構成され得る。部分的及び／又は完全な連結状態において、解放部材７２０は、１つ以上の弾性要素７３２の各々の少なくとも一部分が、解放部材内腔７２２の長手方向軸に対して半径方向内側に偏向するように、１つ以上の弾性要素７３２から係合解除され得るか、又は係合解除されるように構成され得る。
【００５６】
医療コネクタ７００は、細長い医療デバイス１５（又は別の医療デバイス）が医療コネクタ７００内に完全に配設又は「着座」されていることを示す（例えば、施術者に）ための機構及び／又は構成要素を含み得る。いくつかの実施形態において、機構は、視認可能な機構であり得る。いくつかの他の実施形態において、機構は、可聴、触知可能等とすることができる。図８Ａ〜図８Ｃに示されるように、医療コネクタ７００は、指示部材７４０を含み得る。指示部材７４０は、本体内腔７１６の少なくとも一部分内に配置され得る。更に、指示部材７４０は、本体内腔７１６内で変位可能（例えば、摺動可能に変位可能）であり得る。例えば、細長い医療デバイス１５との係合の際、指示部材７４０は、本体７１０に対して変位（例えば、近位に変位）され得る。いくつかの実施形態において、指示部材７４０は、指示部材内腔７４２を含み得、指示部材内腔７４２は、本体内腔７１６及び／又は解放部材内腔７２２と連通（例えば、流体連通）している。更に、指示部材内腔７４２の少なくとも一部分は、細長い医療デバイス１５の少なくとも一部分を受容するように構成され得る。
【００５７】
一定の実施形態において、シール７１８（例えば、Ｏリングシール）は、指示部材７４０の少なくとも一部分内に配設され得る。例えば、シール７１８は、指示部材内腔７４２の少なくとも一部内に配設され得る。様々な実施形態において、シール７１８は、細長い医療デバイス１５の少なくとも一部分が指示部材内腔７４２内に配設されたときに、細長い医療デバイス１５に封止係合するように構成され得る。例えば、図８Ｂ及び図８Ｃに示されるように、シール７１８は、細長い医療デバイス１５の外径に対して封止し得る。
【００５８】
しるし７４４が、指示部材７４０の外面の一部分上に配設（例えば、印刷）され得る。図示されるように、しるし７４４は、印刷された対角バー又は線である。いくつかの実施形態において、しるし７４４は、円、正方形、三角形、数字、文字、又は任意の他の好適な形状若しくは記号であってもよい。更に、指示部材７４０は、第１の色であってもよく（例えば、指示部材７４０は、赤色の材料から形成されてもよく）、しるし７４４は、第２の色であってもよい（例えば、しるし７４４は、緑色の材料から形成されてもよい）。いくつかの実施形態において、指示部材７４０及びしるし７４４は、一体的であってもよく、いくつかの他の実施形態において、指示部材７４０及びしるし７４４は、別個であってもよい。指示部材７４０及びしるし７４４の色及び／又は材料の他の組み合わせもまた、本開示の範囲内である。例えば、指示部材７４０は、オレンジ色のインクで印刷されてもよく、しるしは、青色の材料から形成されてもよい。
【００５９】
引き続き図８Ａ〜図８Ｃを参照すると、医療コネクタ７００は、窓７１１を更に含み得る。窓７１１は、本体７１０の壁の少なくとも一部分に配設された透明部材であり得る。いくつかの実施形態において、開口（窓の代わりに）は、本体７１０の壁の一部分に配設され得る。窓７１１は、指示部材７４０の近位の変位の際、しるし７４４が窓７１１を通して視認可能となり得るように、しるし７４４と整列され得る。例えば、施術者は、指示部材７４０が本体７１０に対して近位に変位されたときに、窓７１１を通してしるし７４４を視認することができ得る。
【００６０】
窓７１１としるし７４４との間の相互作用は、細長い医療デバイス１５が医療コネクタ７００内に単に部分的に配設されているかどうか（図８Ｂ参照）、又は細長い医療デバイス１５が医療コネクタ７００内に完全に配設されているかどうか（図８Ｃ参照）を、施術者に示し得る。一定の実施形態において、細長い医療デバイス１５が医療コネクタ７００内に単に部分的に配設されている場合、細長い医療デバイス１５と医療コネクタ７００との間に、完全なシールが形成されない場合がある。また、細長い医療デバイス１５が医療コネクタ７００内に単に部分的に配設されている場合、細長い医療デバイス１５は、医療コネクタ７００にしっかりと連結されない場合がある。したがって、指示部材７４０、しるし７４４、及び／又は窓７１１は、医療コネクタ７００が完全な連結状態にある場合、施術者に伝達及び／又は指示するように構成され得る。
【００６１】
いくつかの実施形態において、本体７１０の少なくとも一部分は、透明材料から形成されてもよく、透明材料の少なくとも一部分は、本体内に「窓」を形成するようにコーティング又は印刷されてもよい。つまり、窓は、コーティング又は印刷されていない本体７１０の一部分であってもよい。したがって、しるし７４４は、しるし７４４が本体７１０の非印刷窓部分と整列されない限り、本体７１０を介して（すなわち、印刷に起因して）視認可能でなくてもよい。
【００６２】
図８Ｂを参照すると、施術者は、細長い医療デバイス１５の少なくとも一部分を（矢印によって示されるように）、解放部材７２０の解放部材内腔７２２を通して、指示部材内腔７４２の少なくとも一部内に配設し得る。図８Ｂに示されるように、細長い医療デバイス１５は、部分的な連結状態にある。細長い医療デバイス１５のかかる配設の際、指示部材７４０は、本体７１０に対して近位に変位されるが、しるし７４４は、窓７１１を通して視認可能ではない。部分的な連結状態において、しるし７４４は、窓７１１を通して部分的に視認可能であり得る。換言すると、しるし７４４の一部分は、医療コネクタ７００及び細長い医療デバイス１５が部分的な連結状態にあるとき、窓７１１を通して視認可能であり得る。
【００６３】
図８Ｃを参照すると、施術者は、細長い医療デバイス１５を解放部材７２０の解放部材内腔７２２を通して指示部材内腔７４２内に完全に（又は実質的に完全に）配設し得る。図８Ｃに示されるように、細長い医療デバイスは、完全な連結状態にある。細長い医療デバイス１５のかかる配設の際、指示部材７４０は、しるし７４４が窓７１１を通して完全に（又は実質的に完全に）視認可能であるように、本体７１０に対して近位に変位される。完全な連結状態において、しるし７４４は、窓７１１を通して完全に視認可能であり、細長い医療デバイス１５が医療コネクタ７００内に完全に配設又は着座されていることを示し得る。換言すると、医療コネクタ７００及び細長い医療デバイス１５が完全な連結状態にあるとき、しるし７４４の実質的に全てが窓７１１を通して視認可能であり得る。
【００６４】
医療コネクタ７００は、本体内腔７１６の一部内に配設された近位肩部７１９を更に含み得る。近位肩部７１９は、指示部材７４０の近位端と相互作用して、医療コネクタ７００に対して指示部材７４０及び／又は細長い医療デバイス１５のための確実な近位停止を提供し得る。例えば、図８Ｃに示される構成において、指示部材７４０の近位端は、近位肩部７１９と接触して配設される。
【００６５】
図示されるように、医療コネクタ７００の本体内腔７１６は、実質的にＩ字形状である。換言すると、本体内腔７１６は、２つの開口を含み、１つの開口は、本体７１０の遠位端７１４に、又はそれに隣接して配設され、第２の開口は、本体７１０の近位端７１２に、又はそれに隣接して配設される。上述のように、医療コネクタ７００の他の実施形態もまた本開示の範囲内である。例えば、いくつかの実施形態において、医療コネクタは、２つ以上の解放部材及び／又は指示部材を含んでもよい。
【００６６】
医療コネクタ１００、２００、３００、４００、５００、６００、７００等の医療コネクタの他の構成もまた、本開示の範囲内である。一定の実施形態において、医療コネクタは、医療コネクタの第１の端上の第１の解放部材、及び医療コネクタの第２の端上の第２の解放部材を含み得、第１の解放部材及び第２の解放部材の各々は、実質的に同様の内径及び／又は外径を有し得る。いくつかの実施形態において、医療コネクタは、医療コネクタの一端（例えば、第１の端）上の解放部材のみを含み得るが、一方で医療コネクタの反対端（例えば、第２の端）は、ルアーコネクタ、圧入コネクタ、スナップコネクタ等の別のタイプのコネクタを含む。いくつかの他の実施形態において、医療コネクタは、医療コネクタの第１の端上の１つの解放部材、及び医療コネクタの第２の端上の２つの解放部材を含み得る。更にいくつかの他の実施形態において、医療コネクタは、４つのアームを有してもよく、解放部材は、４つのアームの各々の一端に連結されてもよい。
【００６７】
医療コネクタが解放部材を欠いている実施形態もまた、本開示の範囲内である。例えば、施術者は、患者が医療コネクタを１つ以上の医療デバイスから連結解除することを阻止又は防止することを所望し得る。換言すると、医療コネクタは、患者が医療コネクタを連結状態から非連結状態に遷移させることができないように、「患者安全性」であってもよい。
【００６８】
いくつかの実施形態において、医療コネクタは、１つ超の本体内腔を含み得る。例えば、医療コネクタは、２つ、３つ、４つ以上の内腔を含み得る。一定の実施形態において、医療コネクタは、１つ以上の弁を含み得る。例えば、弁は、医療コネクタの少なくとも一部分内に配設され得る。弁は、医療コネクタが別の医療デバイスから連結解除されたときに、医療コネクタを通る流体の流れを阻止又は防止するように構成され得る。医療デバイスへの医療コネクタの連結の際、弁は、閉状態から開状態に遷移するように構成され得る。したがって、弁は、医療コネクタが１つ以上の他の医療デバイスに連結されているときのみ開くように構成され得る。かかる弁は、医療コネクタが所望される医療デバイス（例えば、ドレナージバッグ等）に連結されていないとき、流体が医療コネクタを通って漏れることを制限又は防止し得る。医療コネクタ、解放部材等の他の構成もまた、本開示の範囲内である。
【００６９】
本開示の医療コネクタは、医療コネクタを介して連結されている、第１の医療デバイスと第２の医療デバイスとの間の連通（例えば、流体連通）を、他の連結機構を介して連結され得る、いくつかの他の第１及び第２の医療デバイスに対して、強化し得る。例えば、いくつかの他の連結機構は、返し部を含み得、返し部の第１の端が、第１の医療デバイスの一部分の内径内に配設され、返し部の第２の端が、第２の医療デバイスの一部分の内径内に配設される。かかる連結機構は、第１及び第２の医療デバイスの内径の少なくとも一部分の寸法を減少させ得る。したがって、流体連通は、第１の医療デバイスと第２の医療デバイスとの間で少なくとも部分的に妨害され得る。これに対して、本開示の医療コネクタは、第１の医療デバイスの一部分の外径及び／又は第２の医療デバイスの外径の周囲に配設され得、それにより、内径の寸法が実質的に変更又は変化されず、第１の医療デバイス及び第２の医療デバイスの各々の間の流体連通が、実質的に妨害及び又は阻止されない。
【００７０】
本開示による医療コネクタは、様々なサイズで形成され得る。例えば、上述のように、医療コネクタは、４フレンチ、５フレンチ、６フレンチ、７フレンチ、又は任意の他の好適なサイズである細長い医療デバイスに連結されるようにサイズ決めされ得る。医療コネクタはまた、２つ以上の解放部材及び／又は係合部材を含み得る。解放部材及び／又は係合部材の各々は、異なるサイズの細長い医療デバイスを連結するように構成され得る。つまり、医療コネクタの一端は、６フレンチである細長い医療デバイスを連結するようにサイズ決めされ得、医療コネクタの別の端は、１０フレンチである細長い医療デバイスを連結するようにサイズ決めされ得る。これに対して、いくつかの他の連結機構（例えば、ルアーコネクタ）は、例えば、２つのサイズ又は別の限定された数のサイズのみで利用可能であり得る。
【００７１】
医療コネクタを使用する方法もまた、本明細書に開示される。カテーテル（例えば、１０フレンチカテーテル）は、ドレナージのために使用され得る。例えば、カテーテルは、患者の体腔から流体を排出するために施術者によって使用され得る。施術者は、カテーテルを切断し、カテーテルの切断端を医療コネクタの第１の端に連結し得る。第２のカテーテル（例えば、ドレナージバッグ内に移すように構成されているカテーテル）は、医療コネクタの第２の端に連結され得る。したがって、医療コネクタは、医療ドレナージ術での施術者による使用のために構成され得る。いくつかの実施形態において、ドレナージカテーテルは、高流量を有し得、ドレナージカテーテルは、医療コネクタを介して、ドレナージバッグ及び／又は吸引デバイス（例えば、バキューム）に連結され得る。
【００７２】
一定の実施形態において、本開示の医療コネクタとの使用のためのドレナージバッグは、ドレナージバッグを医療コネクタに連結するための接続部材を含み得る。様々な実施形態において、接続部材は、接続部材が医療コネクタに連結され得るように、標準的な外径を含み得る。様々な他の実施形態において、接続部材は、様々な標準化された外径（例えば、接続部材の外径の２つ、３つ以上の標準サイズが存在し得る）を含み得る。
【００７３】
いくつかの実施形態において、施術者は、長さ調整のためにカテーテルを切断し得、施術者は、カテーテルの切断端を第２のカテーテル又は他の医療デバイス（例えば、シリンジ）に連結するために医療コネクタを使用し得る。これに対して、カテーテルが医療デバイスにカテーテルを連結するためのルアーコネクタを有する構成において、カテーテルは、カテーテルの切断がルアーコネクタを除去し得るため、長さ調整のために切断されるように構成されていない場合がある。しかしながら、本開示による医療コネクタは、切断された（例えば、長さ調整のために）カテーテルに連結され得る。
【００７４】
様々な実施形態において、医療コネクタは、高圧ライン又はカテーテル（例えば、心臓ポンプとともに使用されるライン）とともに使用され得る。高圧ライン内の高圧は、高圧ラインの内面に力（例えば、高圧ラインの長手方向軸に対して外側に向けられた半径方向の力）を加え得る。かかる力は、高圧ラインの外径の寸法が増加するように、高圧ラインの壁を少なくともわずかに膨張させ得る。したがって、高圧ラインの外径の増加は、医療コネクタ内のラインの一端を「着座」させる傾向があり得る。換言すると、高圧ラインの外面は、医療コネクタの一部分の内面に対して押圧され得、医療コネクタ及び高圧ラインの各々の間の連結が、強化及び／又は増強され得る。本開示による医療コネクタはまた、高圧流体が第１のライン及び第２のラインの各々の間を流れているときに、第１のラインを第２のラインに連結するために十分な強度及び／又は耐久性であり得る。
【００７５】
認識され得るように、追加の方法及び／又は方法のステップが、図１〜図８Ｃ及び対応する開示から導かれ得る。本明細書に開示されるいかなる方法も、記載されている方法を実行する１つ以上のステップ又は操作を含む。それらの方法のステップ及び／又は行為は、互いに入れ替えることができる。換言すると、実施形態の適切な動作に関して、特定のステップ又は行為の順序が必要とされない限り、それら特定のステップ及び／若しくは行為の順序並びに／又は操作を、修正することができる。
【００７６】
近似値への参照は、本明細書全体にわたって、例えば、「実質的に」という用語の使用によって行われる。かかる参照のそれぞれについて、いくつかの実施形態では、値、特徴、又は特性は、近似値なしで特定されてもよいことが理解される。例えば、「約」及び「実質的に」などの修飾句が用いられるところでは、これらの用語は、その範囲内に、それらの修飾句が不在の場合での修飾される言葉を含む。例えば、「実質的にＹ字形状」という用語が特徴に対して用いられるところでは、更なる実施形態において、その特徴は、正確にＹ字形状の構成を有し得るように理解される。
【００７７】
本明細書の全体にわたる、「ある実施形態」又は「その実施形態」への言及は、その実施形態に関連して説明されている特定の特徴、構造、又は特性が、少なくとも１つの実施形態に含まれていることを意味する。それゆえ、引用される句又はその変形は、本明細書の全体にわたって記載されている場合、必ずしも全てが、同じ実施形態に言及するものとは限らない。
【００７８】
同様に、上の実施形態の記載において、様々な特徴は、本開示を効率化する目的で、その１つの実施形態、図面、又は説明にまとめられる場合がある。しかしながら、この開示の方法は、いずれの請求項も、その請求項において明示的に記載されている特徴以外の更なる特徴を必要とするという意図を反映するものとして解釈されるべきではない。むしろ、以下の請求項が反映するように、発明の態様は、上記で開示された任意の単一の実施形態の全ての特徴よりも、少ない特徴の組み合わせにある。
【００７９】
この記載に続く請求項は、本記載に明示的に組み込まれており、各請求項は、それぞれ個別に別々の実施形態として独立している。本開示は、独立請求項とそれらの従属請求項の、あらゆる並べ替えを含む。また、続く独立及び従属請求項から由来可能な追加の実施形態もまた、本記載に明示的に組み込まれている。
【００８０】
更なる推敲なく、当業者であれば、前の記載を、本発明をその最大限まで活用するために用いることができると考えられる。本明細書に開示される請求項及び実施形態は、単に図示的かつ例示的であり、いかなる方法においても本開示の範囲の限定ではないように解釈されるものとする。当業者にとっては、本開示の助けをもって、上記の実施形態の詳細が本開示の根本にある原則から逸脱することなく変更可能であることが明白であろう。換言すると、上の記載に具体的に開示される実施形態の様々な修正及び改善は、添付の請求項の範囲内である。更に、本明細書で開示する方法のステップ又は操作の順序は、本開示の範囲から逸脱することなく、当業者によって変更され得る。換言すると、ステップ又は操作の特定の順序が実施形態の適切な実施に必要とされない限り、特定のステップ／又は操作の順序／又は使用を修正してもよい。したがって、本発明の範囲は、以下の請求項及びそれらの等価物によって定義される。
【図１】
2019526335.tif 000003
【図２】
2019526335.tif 000004
【図３Ａ】
2019526335.tif 000005
【図３Ｂ】
2019526335.tif 000006
【図３Ｃ】
2019526335.tif 000007
【図４】
2019526335.tif 000008
【図５】
2019526335.tif 000009
【図６Ａ】
2019526335.tif 000010
【図６Ｂ】
2019526335.tif 000011
【図６Ｃ】
2019526335.tif 000012
【図７】
2019526335.tif 000013
【図８Ａ】
2019526335.tif 000014
【図８Ｂ】
2019526335.tif 000015
【図８Ｃ】
2019526335.tif 000016
【国際調査報告】
2019526335.tif 000017
2019526335.tif 000018
2019526335.tif 000019